(57)【要約】【課題】ネットワークリソースが無駄に浪費されることを抑制しつつ、ＰｏＣ通信中における話者追加時の操作にかかる時間を確保する。【解決手段】インアクティビティタイマ５ａおよび拡張インアクティビティタイマ５ｂをＭＲＦＰ６に設け、インアクティビティタイマ５ａは、ＰｏＣ通信における発言権の許容時間を設定するとともに、拡張インアクティビティタイマ５ｂは、話者追加機能２の起動結果に基づいて、ＰｏＣ通信における発言権の許容時間を、インアクティビティタイマ５ａにて設定された許容時間と別個に設定し、インアクティビティタイマまたは拡張インアクティビティタイマにて設定された許容時間に基づいて、ＰｏＣ通信において確立されたセッションの開放を行う。【選択図】      図１
2007311920.tif 000002
【特許請求の範囲】
【請求項１】
１対１またはグループ間通信での発言権の許容時間を設定するインアクティビティタイマと、
話者追加機能の起動結果に基づいて、前記１対１またはグループ間通信での発言権の許容時間を、前記インアクティビティタイマにて設定された許容時間と別個に設定する拡張インアクティビティタイマと、
前記インアクティビティタイマまたは拡張インアクティビティタイマにて設定された許容時間に基づいて、前記１対１またはグループ間通信において確立されたセッションの開放を行う通信制御手段とを備えることを特徴とする通信制御装置。
【請求項２】
１対１またはグループ間通信での発言権の取得に伴ってインアクティビティタイマを起動するステップと、
前記インアクティビティタイマの起動中に話者追加機能を起動するステップと、
前記話者追加機能の起動結果に基づいて、前記インアクティビティタイマと別個に設けられた拡張インアクティビティタイマを起動するステップと、
前記拡張インアクティビティタイマの起動中に話者追加処理を行うステップとを備えることを特徴とする通信制御方法。
【発明の詳細な説明】
【技術分野】
【０００１】
本発明は通信制御装置および通信制御方法に関し、特に、ＰｏＣ（Ｐｕｓｈ−ｔｏ−Ｔａｌｋ  ｏｖｅｒ  Ｃｅｌｌｕｌａｒ）通信における話者追加に適用して好適なものである。
【背景技術】
【０００２】
携帯電話機等の移動端末をトランシーバのように使用することを可能にし、ボタンに触るだけで複数人によるグループ内でのコミュニケーションを実現するＰｏＣ（Ｐｕｓｈ−ｔ  ｏ−Ｔａｌｋ  ｏｖｅｒ  Ｃｅｌｌｕｌａｒ）通信の実現が予定されている。
ＰｏＣ通信は１対１またはグループ間での迅速なコミュニケーション手段であり、ＰｏＣ通信では移動端末をトランシーバのように利用することができる。会話を開始するためには、ダイヤルボタンを押す必要はなく、特定のボタンを押すという簡単な操作でよい。
【０００３】
現在、モバイル・アプリケーション技術の標準化を推進する業界団体ＯＭＡ（Ｏｐｅｎ  Ｍｏｂｉｌｅ  Ａｌｌｉａｎｃｅ）において、ＰｏＣ  Ｃｈａｒｔｅｒ（非特許文献１）に基づいてＰｏＣ通信が標準化されている（非特許文献２）。ＰｏＣ通信を行うには、通信路が形成されていることを前提とし、ＳＩＰ（Ｓｅｓｓｉｏｎ  Ｉｎ  ｉｔｉａｔｉｏｎ  Ｐｒｏｔｏｃｏｌ）によるＲｅｇｉｓｔｒａｔｉｏｎメッセージ、ＩＮＶＩＴＥメッセージの後、ＲＴＰ（Ｒｅａｌ  Ｔｉｍｅ  Ｐｒｏｔｏｃｏｌ）による発言権の取得が行われる。
【０００４】
そして、ＰｏＣ通信中においてインアクティビティタイマ（Ｉｎａｃｔｉｖｉｔｙ  Ｔｉｍｅｒ）起動中に誰も発言権を獲得しない場合は、インアクティビティタイマが満了し、セッションが開放される。現状では、ＲＴＣＰ  Ｔ４：Ｉｎａｃｔｉｖｉｔｙ  Ｔｉｍｅｒは３０秒に設定されており、この３０秒の間に誰も発言権を獲得しない場合は、インアクティビティタイマがタイムアウトする。
【０００５】
また、ＰｏＣ通信が二者間で行われている間に、話者追加機能を起動すると、三者間でＰｏＣ通信を行うことができる。
この話者追加時のユーザ端末側での手順は、以下の（１）〜（５）のとおりである。
（１）話者追加機能の起動
（２）被追加ユーザの選択（複数人の追加も可）
（３）話者追加の実行（ＲＥＦＥＲ送信）
（４）（最初のＮＯＴＩＦＹで）被追加ユーザのプレゼンス「呼び出し中」を確認
（５）（次のＮＯＴＩＦＹで）被追加ユーザのプレゼンスが「参加」または「不参加」となるまで待機
【非特許文献１】ＯＭＡ−ＣＨＡＲＴＥＲ＿ＰｏＣ−Ｖ１＿０−２００３１０１４−Ａ
【非特許文献２】ＯＭＡ−ＲＤ＿ＰｏＣ−Ｖ１＿０−２００４１１１５−Ｃ
【発明の開示】
【発明が解決しようとする課題】
【０００６】
しかしながら、インアクティビティタイマで設定された３０秒間に、上述した（１）〜（５）の手順をすべて完了することは困難である。また、上述した（１）〜（５）の手順の間に被追加ユーザが参加または不参加となるまでは、他者が一切の発言権の獲得を行わない可能性もある。特に、上述した（１）〜（３）の手順にかかる時間は、ユーザによって大きく変動するため、特別に時間を設ける必要がある。
【０００７】
一方、インアクティビティタイマで設定された時間内に、上述した（１）〜（５）の手順をすべて完了できるようにするために、インアクティビティタイマの値を単に大きくすると、話者追加機能が起動されない場合においてもインアクティビティタイマが適用されることから、ネットワークリソースが無駄に浪費されるという問題があった。
そこで、本発明の目的は、ネットワークリソースが無駄に浪費されることを抑制しつつ、話者追加時の操作にかかる時間を確保することが可能な通信制御装置および通信制御方法を提供することである。
【課題を解決するための手段】
【０００８】
上述した課題を解決するために、請求項１記載の通信制御装置によれば、１対１またはグループ間通信での発言権の許容時間を設定するインアクティビティタイマと、話者追加機能の起動結果に基づいて、前記１対１またはグループ間通信での発言権の許容時間を、前記インアクティビティタイマにて設定された許容時間と別個に設定する拡張インアクティビティタイマと、前記インアクティビティタイマまたは拡張インアクティビティタイマにて設定された許容時間に基づいて、前記１対１またはグループ間通信において確立されたセッションの開放を行う通信制御手段とを備えることを特徴とする。
【０００９】
また、請求項２記載の通信制御方法によれば、１対１またはグループ間通信での発言権の取得に伴ってインアクティビティタイマを起動するステップと、前記インアクティビティタイマの起動中に話者追加機能を起動するステップと、前記話者追加機能の起動結果に基づいて、前記インアクティビティタイマと別個に設けられた拡張インアクティビティタイマを起動するステップと、前記拡張インアクティビティタイマの起動中に話者追加処理を行うステップとを備えることを特徴とする。
【発明の効果】
【００１０】
以上説明したように、本発明によれば、インアクティビティタイマにて発言権の許容時間を設定することが可能となるとともに、話者追加機能が起動された時だけ拡張インアクティビティタイマを起動させて、発言権の許容時間を拡大することが可能となる。このため、インアクティビティタイマの値を大きくすることなく、話者追加時の操作にかかる時間を確保することが可能となり、ネットワークリソースが無駄に浪費されることを抑制しつつ、グループ間での迅速なコミュニケーションを実現することが可能となる。
【発明を実施するための最良の形態】
【００１１】
以下、本発明の実施形態に係る通信制御装置について図面を参照しながら説明する。
図１は、本発明の一実施形態に係る通信制御装置が適用される通信システムの概略構成を示すブロック図である。
図１において、ユーザ端末１ａ〜１ｃにはＰｏＣ通信機能が設けられ、ユーザ端末１ａ〜１ｃ間では、コアネットワーク７を介してＰｏＣ通信を行うことができる。また、ユーザ端末１ａには、ＰｏＣ通信において話者追加を行う話者追加機能２が設けられている。
【００１２】
また、コアネットワーク７には、ＩＰ電話のセッション管理を行うＣＳＣＦ（コールセッションコントロールファンクション）３ａ〜３ｃがユーザ端末１ａ〜１ｃごとに設けられるとともに、ＰｏＣ通信におけるグループ管理を行うＭＲＦＣ（メディアリソースファンクションコントローラ）４および音声パケットのコピーや送信を行うＭＲＦＰ（メディアリソースファンクションプロセッサ）６が設けられている。
なお、ユーザ端末１ａ〜１ｃとしては、例えば、携帯電話などの移動端末、コアネットワーク７としては、例えば、ＳＩＰサーバが接続された携帯電話サービス事業者のＩＰネットワークを想定することができる。
【００１３】
ここで、ＭＲＦＰ６には、インアクティビティタイマ５ａおよび拡張インアクティビティタイマ５ｂが設けられている。そして、インアクティビティタイマ５ａは、ＰｏＣ通信における発言権の許容時間を設定することができる。また、拡張インアクティビティタイマ５ｂは、話者追加機能２の起動結果に基づいて、ＰｏＣ通信における発言権の許容時間を、インアクティビティタイマ５ａにて設定された許容時間と別個に設定することができる。そして、ＭＲＦＰ６は、インアクティビティタイマまたは拡張インアクティビティタイマにて設定された許容時間に基づいて、ＰｏＣ通信において確立されたセッションの開放を行わせることができる。
【００１４】
そして、例えば、ユーザ端末１ａ、１ｂ間でのＰｏＣ通信中にユーザ端末１ａで発言権が取得されると、インアクティビティタイマ５ａが起動される。そして、インアクティビティタイマ５ａの起動中にユーザ端末１ａにて話者追加機能２が起動されると、ＳＩＰ：ＩＮＦＯメソッドがＣＳＣＦ３ａを介してＭＲＦＣ４に送信され、ＭＲＦＣ４はＭＥＧＡＣＯ信号にてその旨をＭＲＦＰ６に通知する。そして、ＭＲＦＰ６は、ＭＲＦＣ４から当該信号を受信すると、インアクティビティタイマ５ａを停止させ、拡張インアクティビティタイマ５ｂを起動する。そして、拡張インアクティビティタイマ５ｂの起動中にユーザ端末１ｃを話者として新たに追加することにより、ユーザ端末１ａ〜１ｃ間でＰｏＣ通信を行うことができる。
【００１５】
これにより、インアクティビティタイマ５ａにて発言権の許容時間を設定することが可能となるとともに、話者追加機能２が起動された時だけ拡張インアクティビティタイマ５ｂを起動させて、発言権の許容時間を拡大することが可能となる。このため、インアクティビティタイマ５ａの値を大きくすることなく、話者追加時の操作にかかる時間を確保することが可能となり、ネットワークリソースが無駄に浪費されることを抑制しつつ、グループ間での迅速なコミュニケーションを実現することが可能となる。
【００１６】
図２および図３は、本発明の一実施形態に係る通信制御装置が適用される通信システムの話者追加時の処理を示すシーケンス図である。なお、以下の説明では、ユーザ端末１ａ、１ｂ間でのＰｏＣ通信中にユーザ端末１ｃを話者として追加するものとして説明する。
図２において、ユーザ端末１ａ、１ｂ間でのＰｏＣ通信中にユーザ端末１ａにて発言権が取得されると、ＭＲＦＰ６は、インアクティビティタイマ５ａを起動する。そして、インアクティビティタイマ５ａの起動中にユーザ端末１ａが話者追加機能２を起動すると（Ｐ１）、ユーザ端末１ａは、ＳＩＰ：ＩＮＦＯ信号をＣＳＣＦ３ａに送信し（Ｓ１）、ＣＳＣＦ３ａは、ユーザ端末１ａからＳＩＰ：ＩＮＦＯ信号を受信すると、そのＳＩＰ：ＩＮＦＯ信号をＭＲＦＣ４に送信する（Ｓ２）。そして、ＭＲＦＣ４は、ＳＩＰ：ＩＮＦＯ信号をＣＳＣＦ３ａから受信すると、ＳＩＰ：２００  ＯＫ信号をＣＳＣＦ３ａに送信するとともに（Ｓ３）、ＭＥＧＡＣＯ：Ｅｘｉｎａｃｔ信号にてその旨をＭＲＦＰ６に通知する（Ｓ５）。
【００１７】
そして、ＣＳＣＦ３ａは、ＭＲＦＣ４からＳＩＰ：２００  ＯＫ信号を受信すると、そのＳＩＰ：２００  ＯＫ信号をユーザ端末１ａに送信する（Ｓ４）。また、ＭＲＦＰ６は、ＭＲＦＣ４からＭＥＧＡＣＯ：Ｅｘｉｎａｃｔ信号を受信すると、ＭＥＧＡＣＯ：Ｅｘｉｎａｃｔ応答をＭＲＦＣ４に送信するとともに（Ｓ６）、インアクティビティタイマ５ａを停止させ、拡張インアクティビティタイマ５ｂを起動する（Ｐ２）。
【００１８】
そして、拡張インアクティビティタイマ５ｂの起動中に話者追加処理が行われる場合、ユーザ端末１ａは、ＳＩＰ：ＲＥＦＥＲ信号をＣＳＣＦ３ａに送信し（Ｓ７）、ＣＳＣＦ３ａは、ユーザ端末１ａからＳＩＰ：ＲＥＦＥＲ信号を受信すると、そのＳＩＰ：ＲＥＦＥＲ信号をＭＲＦＣ４に送信する（Ｓ８）。そして、ＭＲＦＣ４は、ＳＩＰ：ＲＥＦＥＲ信号をＣＳＣＦ３ａから受信すると、ＳＩＰ：２０２  Ａｃｃｅｐｔｅｄ信号をＣＳＣＦ３ａに送信する（Ｓ９）。そして、ＣＳＣＦ３ａは、ＭＲＦＣ４からＳＩＰ：２０２  Ａｃｃｅｐｔｅｄ信号を受信すると、そのＳＩＰ：２０２  Ａｃｃｅｐｔｅｄ信号をユーザ端末１ａに送信する（Ｓ１０）。
【００１９】
また、ＭＲＦＣ４は、ＳＩＰ：ＲＥＦＥＲ信号をＣＳＣＦ３ａから受信すると、ＳＩＰ：ＩＮＶＩＴＥ信号をＣＳＣＦ３ａに送信する（Ｓ１１）。そして、ＣＳＣＦ３ａは、ＭＲＦＣ４からＳＩＰ：ＩＮＶＩＴＥ信号を受信すると、そのＳＩＰ：ＩＮＶＩＴＥ信号をＣＳＣＦ３ｃに送信する（Ｓ１２）。そして、ＣＳＣＦ３ｃは、ＣＳＣＦ３ａからＳＩＰ：ＩＮＶＩＴＥ信号を受信すると、そのＳＩＰ：ＩＮＶＩＴＥ信号をユーザ端末１ｃに送信する（Ｓ１３）。そして、ＭＲＦＰ６は、拡張インアクティビティタイマ５ｂが満了すると、インアクティビティタイマ５ａを起動する（Ｐ３）。
【００２０】
そして、拡張インアクティビティタイマ５ｂが満了した後、インアクティビティタイマ５ａが起動され、さらにインアクティビティタイマ５ａが満了すると（Ｐ５）、図３に示すように、ＭＲＦＰ６は、ＭＥＧＡＣＯ：タイムアウト通知をＭＲＦＣ４に送信する（Ｓ１４）。そして、ＭＲＦＣ４は、ＭＥＧＡＣＯ：タイムアウト通知をＭＲＦＰ６から受信すると、ＭＥＧＡＣＯ：タイムアウト通知応答をＭＲＦＰ６に送信するとともに（Ｓ１５）、ＳＩＰ：ＢＹＥ信号をＣＳＣＦ３ａに送信する（Ｓ１６）。そして、ＣＳＣＦ３ａは、ＭＲＦＣ４からＳＩＰ：ＢＹＥ信号を受信すると、そのＳＩＰ：ＢＹＥ信号をユーザ端末１ａに送信する（Ｓ１７）。
これにより、インアクティビティタイマ５ａの起動中に話者追加機能２が起動された場合においても、拡張インアクティビティタイマ５ｂがタイムアウトするまでに話者追加処理を完了させることができ、ネットワークリソースが無駄に浪費されることを抑制しつつ、話者追加処理を円滑に進めることができる。
【図面の簡単な説明】
【００２１】
【図１】本発明の一実施形態に係る通信制御装置が適用される通信システムの概略構成を示すブロック図である。
【図２】本発明の一実施形態に係る通信制御装置が適用される通信システムの話者追加時の処理を示すシーケンス図である。
【図３】本発明の一実施形態に係る通信制御装置が適用される通信システムの話者追加時の処理を示すシーケンス図である。
【符号の説明】
【００２２】
１ａ〜１ｃ  ユーザ端末
２  話者追加機能
３ａ〜３ｃ  ＣＳＣＦ
４  ＭＲＦＣ
５ａ  インアクティビティタイマ
５ｂ  拡張インアクティビティタイマ
６  ＭＲＦＰ
７  コアネットワーク
【図１】
2007311920.tif 000003
【図２】
2007311920.tif 000004
【図３】
2007311920.tif 000005